(57)【要約】【課題】用紙の搬送速度を切り替え可能な画像形成装置において転写不良を抑制する。【解決手段】画像形成装置は、感光体ドラム６１と、感光体ドラム６１との間で用紙を搬送することで感光体ドラム６１上の現像剤像を用紙に転写する転写ローラ６３と、転写ローラ６３に転写バイアスを印加する転写バイアス印加装置１２と、装置本体内の湿度に関連するパラメータを検出する抵抗値検出手段１３と、用紙の搬送速度を制御する制御装置１４とを備える。制御装置１４は、用紙を第１の搬送速度で搬送するように制御する第１モードと、用紙を第１の搬送速度よりも遅い第２の搬送速度で搬送するように制御する第２モードとを選択的に実行可能であり、第２モードが選択されているときに抵抗値検出手段１３が検出したパラメータが所定値を超えた場合、用紙を第２の搬送速度よりも速い第３の搬送速度で搬送するように制御する。【選択図】図２
2014126818.tif 000002
【特許請求の範囲】
【請求項１】
記録シートに現像剤像を転写し、熱定着するように構成された画像形成装置であって、
現像剤像を担持するように構成された像担持体と、
前記像担持体との間で記録シートを搬送することで前記像担持体上の現像剤像を記録シートに転写するように構成された転写部材と、
前記転写部材に転写バイアスを印加するように構成された転写バイアス印加装置と、
装置本体内の湿度に関連するパラメータを検出するように構成された検出手段と、
記録シートの搬送速度を制御するように構成された制御装置と、を備え、
前記制御装置は、
記録シートを第１の搬送速度で搬送するように制御する第１モードと、記録シートを前記第１の搬送速度よりも遅い第２の搬送速度で搬送するように制御する第２モードとを選択的に実行可能であり、
前記第２モードが選択されているときに前記検出手段が検出した前記パラメータが所定値を超えた場合、記録シートを前記第２の搬送速度よりも速い第３の搬送速度で搬送するように制御することを特徴とする画像形成装置。
【請求項２】
前記制御装置は、記録シートを前記第２の搬送速度で搬送するように制御する場合には前記転写バイアス印加装置を制御して前記転写部材に第１の転写バイアスを印加し、記録シートを前記第３の搬送速度で搬送するように制御する場合には前記転写バイアス印加装置を制御して前記転写部材に前記第１の転写バイアスより強い第２の転写バイアスを印加することを特徴とする請求項１に記載の画像形成装置。
【請求項３】
前記第２モードは、前記第１モードよりも厚い記録シートに現像剤像を転写し、熱定着するモードであることを特徴とする請求項１または請求項２に記載の画像形成装置。
【請求項４】
前記第３の搬送速度は、前記第１の搬送速度よりも遅い搬送速度であることを特徴とする請求項３に記載の画像形成装置。
【請求項５】
前記検出手段は、前記パラメータとして前記装置本体内の湿度を検出することを特徴とする請求項１から請求項４のいずれか１項に記載の画像形成装置。
【請求項６】
前記検出手段は、前記パラメータとして前記転写部材の抵抗値を検出することを特徴とする請求項１から請求項４のいずれか１項に記載の画像形成装置。
【発明の詳細な説明】
【技術分野】
【０００１】
本発明は、記録シートに現像剤像を転写し、熱定着するように構成された画像形成装置に関する。
【背景技術】
【０００２】
用紙などの記録シートに現像剤像を転写し、熱定着することで記録シートに画像を形成する画像形成装置において、良好に熱定着を行うため、記録シートの厚さに応じてその搬送速度を切り替え可能に構成されたものが知られている。例えば、特許文献１には、厚紙に画像を形成する場合、普通紙に画像を形成する場合よりも定着速度（搬送速度）を遅くする画像形成装置が開示されている。
【先行技術文献】
【特許文献】
【０００３】
【特許文献１】特開２００１−３０５８２５号公報
【発明の概要】
【発明が解決しようとする課題】
【０００４】
ところで、従来の画像形成装置においては、搬送速度が遅いモードで湿度が高い場合に文書などの低印字率の画像を良好に転写できるように、転写ローラなどの転写部材に印加する転写バイアス（転写電流）を設定していた。そのため、搬送速度が遅いモードで湿度が高い場合に黒ベタなどの高印字率の画像を転写しようとするときには、現像剤像を担持する像担持体と転写部材との間で現像剤にかかる電流が過剰になり、かすれなどの転写不良が発生する可能性があった。
【０００５】
一方、転写不良の発生を防ぐため、転写バイアス（転写電流）を湿度に応じて制御する方法が考えられるが、特に搬送速度が遅いモードで湿度が高い場合には、転写不良が発生しない転写電流の範囲が狭くなることがわかったため、その狭い範囲に転写電流を収める制御が難しいという問題がある。
【０００６】
本発明は、以上の背景に鑑みてなされたものであり、記録シートの搬送速度を切り替え可能な画像形成装置において転写不良を抑制することを目的とする。
【課題を解決するための手段】
【０００７】
前記した目的を達成するための本発明は、記録シートに現像剤像を転写し、熱定着するように構成された画像形成装置であって、現像剤像を担持するように構成された像担持体と、像担持体との間で記録シートを搬送することで像担持体上の現像剤像を記録シートに転写するように構成された転写部材と、転写部材に転写バイアスを印加するように構成された転写バイアス印加装置と、装置本体内の湿度に関連するパラメータを検出するように構成された検出手段と、記録シートの搬送速度を制御するように構成された制御装置と、を備える。
制御装置は、記録シートを第１の搬送速度で搬送するように制御する第１モードと、記録シートを第１の搬送速度よりも遅い第２の搬送速度で搬送するように制御する第２モードとを選択的に実行可能であり、第２モードが選択されているときに検出手段が検出したパラメータが所定値を超えた場合、記録シートを第２の搬送速度よりも速い第３の搬送速度で搬送するように制御する。
【０００８】
このような構成によれば、第２モードが選択されているときにパラメータが所定値を超えた場合、すなわち、搬送速度が遅いモードで湿度が高い場合に、記録シートの搬送速度を速くするので、この場合は、実験結果から搬送速度が遅いときよりも高湿度環境下において転写不良が発生しない転写電流の範囲が広くなるため、転写不良を抑制することができる。これにより、記録シートの搬送速度や装置本体内の湿度に関わらずに、良好にトナー像を転写することが可能となる。
【０００９】
前記した画像形成装置において、制御装置は、記録シートを第２の搬送速度で搬送するように制御する場合には転写バイアス印加装置を制御して転写部材に第１の転写バイアスを印加し、記録シートを第３の搬送速度で搬送するように制御する場合には転写バイアス印加装置を制御して転写部材に第１の転写バイアスより強い第２の転写バイアスを印加するように構成することができる。
【００１０】
これによれば、像担持体上の現像剤像を記録シートに引き寄せる力が強くなるので、記録シートの搬送速度が速くなった場合においても転写不良を抑制することができる。
【００１１】
前記した画像形成装置において、第２モードは、第１モードよりも厚い記録シートに現像剤像を転写し、熱定着するモードである構成とすることができる。
【００１２】
これによれば、第１モードと比較して熱定着の時間を長くすることができるので、厚い記録シートに現像剤像を良好に熱定着することができる。
【００１３】
前記した画像形成装置において、第３の搬送速度は、第１の搬送速度よりも遅い搬送速度である構成とすることができる。
【００１４】
これによれば、記録シートの搬送速度が第２の搬送速度よりも速い第３の搬送速度になっても、第１の搬送速度よりは遅い搬送速度であるため、熱定着の時間を確保することができ、厚い記録シートの定着不良を抑制することができる。
【００１５】
前記した画像形成装置において、検出手段は、パラメータとして装置本体内の湿度を検出するように構成することができる。また、前記した画像形成装置において、検出手段は、パラメータとして転写部材の抵抗値を検出するように構成することもできる。
【発明の効果】
【００１６】
本発明によれば、記録シートの搬送速度を切り替え可能な画像形成装置において転写不良を抑制することができる。
【図面の簡単な説明】
【００１７】
【図１】本発明の一実施形態に係る画像形成装置の一例としてのレーザプリンタの概略構成を示す図である。
【図２】レーザプリンタの構成を示すブロック図である。
【図３】制御装置による制御を示すフローチャートである。
【図４】湿度が高い場合において、搬送速度が遅いモードで転写不良が発生しない転写電流の範囲が狭くなり、搬送速度が速いモードで転写不良が発生しない転写電流の範囲が広くなることを確認した実験の結果を示す図である。
【発明を実施するための形態】
【００１８】
次に、本発明の一実施形態について、適宜図面を参照しながら詳細に説明する。なお、以下においては、まず、本実施形態に係る画像形成装置の一例としてのレーザプリンタ１の概略構成について説明し、その後、本発明の特徴部分に係るレーザプリンタ１の詳細な構成について説明する。また、以下の説明において、方向は、レーザプリンタ１を使用するユーザを基準にした方向で説明する。すなわち、図１における右側を「前」、左側を「後」とし、手前側を「左」、奥側を「右」とする。また、図１における上下方向を「上下」とする。
【００１９】
＜レーザプリンタの概略構成＞
図１に示すように、レーザプリンタ１は、記録シートの一例としての用紙Ｓにトナー像（現像剤像）を転写し、熱定着するように構成されており、装置本体の一例としての本体筐体２内に、給紙部３と、露光装置４と、プロセスカートリッジ５と、定着装置８とを主に備えている。
【００２０】
給紙部３は、本体筐体２内の下部に設けられ、用紙Ｓを収容する給紙トレイ３１と、用紙押圧板３２と、複数の給紙ローラから主に構成された給紙機構３３と、レジストローラ３４とを主に備えている。給紙トレイ３１内の用紙Ｓは、用紙押圧板３２によって上方に寄せられ、給紙機構３３およびレジストローラ３４によってプロセスカートリッジ５に供給される。
【００２１】
露光装置４は、本体筐体２内の上部に配置され、図示しないレーザ光源や、符号を省略して示すポリゴンミラー、レンズ、反射鏡などを備えている。露光装置４では、レーザ光源から出射される画像データに基づくレーザ光（鎖線参照）が、感光体ドラム６１の表面で高速走査されることで、帯電後の感光体ドラム６１の表面を露光する。
【００２２】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、ドラムユニット６と、現像ユニット７とから構成されている。
【００２３】
ドラムユニット６は、トナー像を担持するように構成された像担持体の一例としての感光体ドラム６１と、帯電器６２と、感光体ドラム６１との間で用紙Ｓを搬送することで感光体ドラム６１上のトナー像を用紙Ｓに転写するように構成された転写部材の一例としての転写ローラ６３とを主に備えている。また、現像ユニット７は、ドラムユニット６に対して着脱可能に装着される構成となっており、現像ローラ７１と、供給ローラ７２と、層厚規制ブレード７３と、トナー（現像剤）を収容するトナー収容部７４と、アジテータ７５とを主に備えている。
【００２４】
プロセスカートリッジ５では、感光体ドラム６１の表面が、帯電器６２により一様に帯電された後、露光装置４からのレーザ光によって露光されることで、感光体ドラム６１上に画像データに基づく静電潜像が形成される。また、トナー収容部７４内のトナーは、アジテータ７５によって撹拌されながら、供給ローラ７２を介して現像ローラ７１に供給され、現像ローラ７１の回転に伴って、現像ローラ７１と層厚規制ブレード７３の間に進入して一定厚さの薄層として現像ローラ７１上に担持される。
【００２５】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、給紙部３から供給された用紙Ｓが、感光体ドラム６１と転写ローラ６３の間を搬送されることで、感光体ドラム６１上に形成されたトナー像が用紙Ｓ上に転写される。
【００２６】
定着装置８は、プロセスカートリッジ５の後方に配置され、加熱ローラ８１と、加熱ローラ８１と対向配置されて加熱ローラ８１を押圧する加圧ローラ８２とを主に備えている。定着装置８では、トナー像が転写された用紙Ｓが、加熱ローラ８１と加圧ローラ８２の間を搬送されることで、トナー像が用紙Ｓ上に熱定着される。トナー像が熱定着された用紙Ｓは、排紙ローラ２３によって排紙トレイ２２上に排出される。
【００２７】
＜レーザプリンタの詳細構成＞
図２に示すように、レーザプリンタ１は、モータ１１と、転写バイアス印加装置１２と、検出手段の一例としての抵抗値検出手段１３と、制御装置１４とをさらに備えている。
【００２８】
モータ１１は、給紙部３やプロセスカートリッジ５、定着装置８、排紙ローラ２３などに用紙Ｓを搬送するための駆動力を付与する駆動源であり、その回転速度を変更可能に構成されている。本実施形態のレーザプリンタ１は、図示しない複数のギヤなどから構成された公知の駆動力伝達機構を備えており、モータ１１の駆動力は、駆動力伝達機構を介して給紙部３やプロセスカートリッジ５、定着装置８、排紙ローラ２３などに伝達される。
【００２９】
転写バイアス印加装置１２は、転写ローラ６３に転写バイアスを印加するように構成された装置（電源）であり、転写ローラ６３に接続されている。なお、転写バイアス印加装置１２の具体的な構成については、広く公知の構成を採用することができるので、本明細書においては詳細な説明を省略する。
【００３０】
抵抗値検出手段１３は、本体筐体２内の湿度に関連するパラメータ、具体的には当該パラメータの一例としての転写ローラ６３の抵抗値を検出するように構成されている。転写ローラ６３の抵抗値は、本体筐体２内の湿度が高くなるにつれて小さくなり、本体筐体２内の湿度が低くなるにつれて大きくなる。なお、転写ローラ６３の抵抗値を検出するための具体的な構成については、広く公知の構成を採用することができるので、本明細書においては詳細な説明を省略する。また、本実施形態において、抵抗値検出手段１３は、制御装置１４の機能部の１つとして設けられていてもよい。
【００３１】
制御装置１４は、例えば、モータ１１の回転速度を制御することで用紙Ｓの搬送速度を制御するなど、レーザプリンタ１の各部を制御することでレーザプリンタ１の動作を制御するように構成された装置である。この制御装置１４は、図示しないＣＰＵやＲＡＭ、ＲＯＭ、入出力インターフェースなどを備え、予め設定されたプログラムや図示しない各種センサの検出結果などに基づいて演算処理を行うことで制御を実行する。
【００３２】
本実施形態において、制御装置１４は、第１モードの一例としての普通紙印刷モードと、第２モードの一例としての厚紙印刷モードとを選択的に実行可能に構成されている。各印刷モードの選択は、例えば、ユーザが本体筐体２に設けられた図示しない操作パネルなどを操作することで行うことができる。
【００３３】
普通紙印刷モードは、普通紙にトナー像を転写し、熱定着することで、当該普通紙に画像を形成するモード（普通紙の画像形成に適した印刷モード）である。普通紙印刷モードが選択されているとき、制御装置１４は、モータ１１の回転速度を制御して用紙Ｓを第１の搬送速度Ｖfastで搬送するように制御する。一方、厚紙印刷モードは、普通紙印刷モードで使用される普通紙よりも厚い紙、例えば、はがきや封筒などにトナー像を転写し、熱定着することで、厚紙に画像を形成するモード（厚紙の画像形成に適した印刷モード）である。厚紙印刷モードが選択されているとき、制御装置１４は、モータ１１の回転速度を制御して用紙Ｓ（厚紙）を第１の搬送速度Ｖfastよりも遅い第２の搬送速度Ｖslowで搬送するように制御する。
【００３４】
また、制御装置１４は、厚紙印刷モードが選択されているときに、本体筐体２内の湿度が高い場合、具体的には抵抗値検出手段１３が検出した転写ローラ６３の抵抗値Ｒが小さく、予め設定された所定値の一例としての転写ローラ６３の抵抗値についての閾値Ｒthを下に超えた（下回った）場合、モータ１１の回転速度を制御して用紙Ｓ（厚紙）を第３の搬送速度Ｖmiddleで搬送するように制御する。
【００３５】
本実施形態において、第３の搬送速度Ｖmiddleは、第２の搬送速度Ｖslowよりも速い搬送速度であり、かつ、第１の搬送速度Ｖfastよりも遅い搬送速度である（速さの順：Ｖfast＞Ｖmiddle＞Ｖslow）。
【００３６】
また、制御装置１４は、厚紙印刷モードが選択されているときにおいて、用紙Ｓを第２の搬送速度Ｖslowで搬送するように制御する場合には、転写バイアス印加装置１２を制御して転写ローラ６３に第１の転写バイアスＢlowを印加する。一方、制御装置１４は、厚紙印刷モードが選択されているときにおいて、用紙Ｓを第３の搬送速度Ｖmiddleで搬送するように制御する場合には、転写バイアス印加装置１２を制御して転写ローラ６３に第２の転写バイアスＢmediumを印加する。さらに、制御装置１４は、普通紙印刷モードが選択されているとき（用紙Ｓを第１の搬送速度Ｖfastで搬送するように制御する場合）において、転写バイアス印加装置１２を制御して転写ローラ６３に第１の転写バイアスＢlowより強い第３の転写バイアスＢhighを印加する。
【００３７】
本実施形態において、第２の転写バイアスＢmediumは、第１の転写バイアスＢlowより強い転写バイアスであり、かつ、第３の転写バイアスＢhighよりも弱い転写バイアスである。ここで、強い転写バイアスとは、感光体ドラム６１上のトナーを用紙Ｓに引き寄せる力が強くなるような転写バイアスを意味する（トナーを引き寄せる力が強い順：Ｂhigh＞Ｂmedium＞Ｂlow）。
【００３８】
次に、制御装置１４による制御について図３に示すフローチャートを参照しながらより詳しく説明する。
画像データや印刷開始の指令などを含むジョブが入力されたとき、制御装置１４は、図３に示すフローチャートの処理を開始し、現在選択されている印刷モードが厚紙印刷モードであるか否かを判定する（Ｓ１０１）。
【００３９】
そして、選択されている印刷モードが厚紙印刷モードでない場合（Ｓ１０１，Ｎｏ）、すなわち普通紙印刷モードである場合、制御装置１４は、用紙Ｓを第１の搬送速度Ｖfastで搬送するように制御するとともに、転写ローラ６３に第３の転写バイアスＢhighを印加するように制御しながら、用紙Ｓへの画像形成を実行する（Ｓ１０３）。そして、画像形成が終了したとき、制御装置１４は、図３に示すフローチャートの処理を終了する。
【００４０】
一方、選択された印刷モードが厚紙印刷モードである場合（Ｓ１０１，Ｙｅｓ）、制御装置１４は、抵抗値検出手段１３から転写ローラ６３の抵抗値Ｒを取得し（Ｓ１０５）、取得した抵抗値Ｒが閾値Ｒthを下回っているか否か、すなわち本体筐体２内の湿度が高いか否かを判定する（Ｓ１０７）。
【００４１】
抵抗値Ｒが閾値Ｒthを下回っていない場合（Ｓ１０７，Ｎｏ）、すなわち本体筐体２内の湿度が低い場合、制御装置１４は、用紙Ｓを第２の搬送速度Ｖslowで搬送するように制御するとともに、転写ローラ６３に第１の転写バイアスＢlowを印加するように制御しながら、用紙Ｓへの画像形成を実行する（Ｓ１０９）。そして、画像形成が終了したとき、制御装置１４は、図３に示すフローチャートの処理を終了する。
【００４２】
抵抗値Ｒが閾値Ｒthを下回っている場合（Ｓ１０７，Ｙｅｓ）、すなわち本体筐体２内の湿度が高い場合、制御装置１４は、用紙Ｓを第３の搬送速度Ｖmiddleで搬送するように制御するとともに、転写ローラ６３に第２の転写バイアスＢmediumを印加するように制御しながら、用紙Ｓへの画像形成を実行する（Ｓ１１１）。そして、画像形成が終了したとき、制御装置１４は、図３に示すフローチャートの処理を終了する。
【００４３】
以上説明した本実施形態によれば、用紙Ｓの搬送速度が遅い厚紙印刷モードで湿度が高い場合に、用紙Ｓの搬送速度を第２の搬送速度Ｖslowから第３の搬送速度Ｖmiddleへと速くするので、この場合は、後述する実験結果から搬送速度が遅いときよりも高湿度環境下において転写不良が発生しない転写電流の範囲が広くなるため、転写電流を当該範囲内に収めるような設定が容易となり、転写不良を抑制することができる。これにより、レーザプリンタ１において、用紙Ｓの搬送速度や本体筐体２内の湿度に関わらずに、良好にトナー像を転写することが可能となる。
【００４４】
また、厚紙印刷モードが選択されているときに用紙Ｓの搬送速度を第２の搬送速度Ｖslowから第３の搬送速度Ｖmiddleへと速くする場合には、転写ローラ６３に印加する転写バイアスを第１の転写バイアスＢlowから第２の転写バイアスＢmediumへと強くするので、感光体ドラム６１上のトナー像を用紙Ｓに引き寄せる力が強くなり、用紙Ｓの搬送速度が速くなった場合においても転写不良を抑制することができる。
【００４５】
また、厚紙印刷モードのときには、普通紙印刷モードのときよりも用紙Ｓの搬送速度を遅くするので、定着装置８を通過する時間、すなわち熱定着の時間を長くすることができる。これにより、厚紙にトナー像を良好に熱定着することができる。
【００４６】
さらに、厚紙印刷モードが選択されているときに用紙Ｓの搬送速度が第２の搬送速度Ｖslowよりも速い第３の搬送速度Ｖmiddleに変更されても、第３の搬送速度Ｖmiddleは普通紙印刷モードのときの第１の搬送速度Ｖfastよりも遅いので、熱定着の時間を確保することができる。これにより、厚紙印刷モードで湿度が高い場合においても、厚紙の定着不良を抑制することができる。
【００４７】
以上、本発明の実施形態について説明したが、本発明は前記実施形態に限定されるものではない。具体的な構成については、下記のように本発明の趣旨を逸脱しない範囲で適宜変更が可能である。
【００４８】
前記実施形態では、本体筐体２内の湿度に関連するパラメータを検出する検出手段として、転写ローラ６３の抵抗値Ｒを検出する抵抗値検出手段１３を例示したが、本発明はこれに限定されるものではない。例えば、検出手段は、本体筐体２内の湿度に関連するパラメータの他の例としての本体筐体２内の湿度Ｈを検出する湿度センサなどであってもよい。なお、検出手段として湿度センサを採用した場合、制御装置１４は、厚紙印刷モードが選択されているときに湿度Ｈが予め設定された所定値の他の例としての湿度についての閾値Ｈthを超えた（上回った）場合に、用紙Ｓを第３の搬送速度Ｖmiddleで搬送するように制御する構成となる。
【００４９】
前記実施形態では、第３の搬送速度Ｖmiddleが、第２の搬送速度Ｖslowよりも速い搬送速度であり、かつ、第１の搬送速度Ｖfastよりも遅い搬送速度であったが、本発明はこれに限定されるものではない。例えば、第３の搬送速度と第１の搬送速度は同じ搬送速度であってもよい。また、前記実施形態では、第２の転写バイアスＢmediumが、第１の転写バイアスＢlowより強い転写バイアスであり、かつ、第３の転写バイアスＢhighよりも弱い転写バイアスであったが、本発明はこれに限定されるものではない。例えば、第２の転写バイアスと第３の転写バイアスは同じ転写バイアスであってもよい。
【００５０】
前記実施形態では、制御装置１４がモータ１１の回転速度を制御することで用紙Ｓの搬送速度を制御するように構成されていたが、本発明はこれに限定されるものではない。例えば、画像形成装置が複数のギヤなどから構成された変速機構を備える場合には、制御装置が変速機構を制御することで用紙の搬送速度を制御するように構成されていてもよい。
【００５１】
前記実施形態では、像担持体として感光体ドラム６１を例示したが、本発明はこれに限定されず、例えば、感光体ベルトや中間転写ドラム、中間転写ベルトなどであってもよい。
【００５２】
前記実施形態では、画像形成装置として、モノクロ画像のみを形成可能なレーザプリンタ１を例示したが、本発明はこれに限定されるものではない。例えば、画像形成装置は、カラー画像を形成可能なプリンタであってもよいし、用紙の両方の面に画像を形成可能なプリンタであってもよい。また、画像形成装置は、プリンタに限定されず、例えば、フラットベッドスキャナなどの原稿読取装置を備える複写機や複合機などであってもよい。
【実施例】
【００５３】
次に、湿度が高い場合において、搬送速度が遅いモードで転写不良が発生しない転写電流の範囲が狭くなり、搬送速度が速いモードで転写不良が発生しない転写電流の範囲が広くなることを確認した実験について説明する。
【００５４】
＜実験方法＞
以下に示す実験条件において、１０００枚印刷後のトナーカートリッジ（現像ユニット）を装着したレーザプリンタを用い、転写ローラに流れる転写電流（転写ローラに印加する転写バイアス）を変えてそれぞれ用紙（厚紙）に印刷を行い、各用紙に形成された画像の状態、具体的にはゴーストやかすれの有無を確認した。そして、画像の状態が良好であった（ゴーストやかすれが発生しなかった）転写電流の範囲を調べた。
【００５５】
＜実験条件＞
環境温度          ：３２．５℃
環境湿度          ：８０％ＲＨ
レーザプリンタ    ：ＨＬ−２１３０（ブラザー工業株式会社製）
用紙              ：Ｗａｕｓａｕ  Ｅｘａｃｔ  Ｉｎｄｅｘ  １１０ｌｂ  ＬＴＲ
用紙の搬送速度    ：全速モード  または  半速モード
ここで、半速モードは、全速モードの１／２の搬送速度である。
【００５６】
＜実験結果＞
図４において、縦棒で示す範囲は画像の状態が良好であった転写電流の範囲であり、縦棒で示す範囲から外れた範囲は画像にゴーストやかすれが発生した転写電流の範囲である。
図４より、湿度が高い環境下においては、搬送速度が速い全速モードの場合の方が、搬送速度が遅い半速モードの場合よりも画像の状態が良好であった転写電流の範囲、すなわち転写不良が発生しない転写電流の範囲が広いことが確認された。
【符号の説明】
【００５７】
１      レーザプリンタ
２      本体筐体
１２    転写バイアス印加装置
１３    抵抗値検出手段
１４    制御装置
６１    感光体ドラム
６３    転写ローラ
Ｓ      用紙
【図１】
2014126818.tif 000003
【図２】
2014126818.tif 000004
【図３】
2014126818.tif 000005
【図４】
2014126818.tif 000006